(57)【要約】【課題】間接照明光の照射時においても主照明光の照射時と同等の明るさを実現することができる天井設置型の照明装置を提供する。【解決手段】実施形態の一例である照明装置１０は、軸方向一端が開口した筒状に形成され、当該開口を下方に向けた状態で天井１００の埋め込み穴１０３に挿入される装置本体１１と、装置本体１１の内部設けられた主照明光発光部２０と、装置本体１１の外部に設けられた間接照明光発光部３０とを備える。装置本体１１は、天井面１０１よりも下方に突き出し、開口に向かって末広がりとなる形状をなし、第２発光モジュール３１から出射される光の照射方向を天井面１０１および天井面１０１に沿った方向とする突出部１２を有する。第２発光モジュール３１の発光により得られる間接照明光発光部３０の最大光束は、第１発光モジュール２１の発光により得られる主照明光発光部２０の最大光束と同等か、またはそれ以上である。【選択図】図１
2018147780.tif 000002
【特許請求の範囲】
【請求項１】
軸方向一端が開口した筒状に形成され、当該開口を下方に向けた状態で天井の埋め込み穴に挿入される装置本体と、
前記装置本体の内部に設けられた第１の発光部と、
前記装置本体の外部に設けられた第２の発光部と、
を備え、
前記装置本体は、天井面よりも下方に突き出し、前記開口に向かって末広がりとなる形状をなし、前記第２の発光部から出射される光の照射方向を前記天井面および前記天井面に沿った方向とする突出部を有し、
前記第２の発光部の最大光束は、前記第１の発光部の最大光束と同等か、またはそれ以上である、照明装置。
【請求項２】
前記装置本体が前記埋め込み穴に挿入された状態で前記天井面と前記突出部との間に形成される空間に設けられる透光部材を備え、
前記透光部材は、前記第２の発光部を構成する発光モジュールから出射される光を透過または拡散透過させる、請求項１に記載の照明装置。
【請求項３】
導光路を形成する外側カバーを備え、
前記装置本体の外面および前記外側カバーの内面の少なくとも一方が、前記第２の発光部を構成する発光モジュールから出射される光の反射面として機能する、請求項１または２に記載の照明装置。
【請求項４】
前記第１の発光部は、第１発光モジュールを有し、
前記第２の発光部は、第２発光モジュールを有する、請求項１〜３のいずれか１項に記載の照明装置。
【請求項５】
前記導光路を形成する前記外側カバーを備え、
前記第２発光モジュールは、前記導光路内に設けられている、請求項４に記載の照明装置。
【請求項６】
前記第２発光モジュールは、前記装置本体の周方向に沿って設けられている、請求項４または５に記載の照明装置。
【請求項７】
前記第１の発光部を構成する発光モジュールは、前記導光路内に設けられ、
前記装置本体は、当該発光モジュールの光を前記装置本体の内部に導入するための入射開口を有する、請求項３に記載の照明装置。
【請求項８】
前記第１の発光部および前記第２の発光部は、共有の発光モジュールを有し、
当該発光モジュールの光は、
前記入射開口を介して前記装置本体の内部を通る第１方向に出射されると共に、
当該発光モジュールの光源の位置と前記入射開口の位置をずらすか、または前記入射開口を塞ぐことにより、前記導光路を通る第２方向に出射される、請求項７に記載の照明装置。
【請求項９】
前記第２の発光部を構成する発光モジュールは、半導体発光素子を含む、請求項１〜８のいずれか１項に記載の照明装置。
【発明の詳細な説明】
【技術分野】
【０００１】
本開示は、照明装置に関する。
【背景技術】
【０００２】
特許文献１には、装置本体内に架設された遮光壁により、主照明用の発光モジュールが収容される空間と、間接照明用の発光モジュールが収容される空間とが仕切られた天井埋め込み型の照明装置が開示されている。この照明装置では、間接照明用の発光モジュールが主照明用の発光モジュールの発光面よりも前方に配置されている。間接照明用の発光モジュールから出射される光は、遮光壁によって、主照明用の発光モジュールから出射される光の照射方向と異なる方向に転換される。
【０００３】
また、特許文献２には、器具本体の背面側に設けられた間接光光源部を備える照明装置（シーリングライト）が開示されている。
【先行技術文献】
【特許文献】
【０００４】
【特許文献１】特開２０１６−２１３０８号公報
【特許文献２】特開２０１３−３７８５２号公報
【発明の概要】
【発明が解決しようとする課題】
【０００５】
ところで、間接照明光は、天井面、壁面等に照射され、例えばその反射光で部屋を明るくするものであるから、一般的には照明装置を建材で隠して配置したり、間接照明用の発光部を照明装置に設けた遮光部で隠したりして、間接照明を実現している。特許文献１の照明装置では、遮光壁で発光モジュールを隠すことにより間接照明を実現しているが、この照明装置を天井に設置すると、天井埋め込み部内に光が出射され、天井面を十分に明るく照らすことが難しい。また、特許文献２の照明装置でも、間接照明の発光部に対して遮光領域が広いため、間接照明光は暗くなり易い。つまり、従来の天井設置型の照明装置では、間接照明光の照射時は主照明光の照射時と比べて薄暗くなってしまう。
【０００６】
本開示の目的は、間接照明光の照射時においても主照明光の照射時と同等の明るさを実現することができる天井設置型の照明装置を提供することである。
【課題を解決するための手段】
【０００７】
本開示の一態様である照明装置は、軸方向一端が開口した筒状に形成され、当該開口を下方に向けた状態で天井の埋め込み穴に挿入される装置本体と、前記装置本体の内部に設けられた第１の発光部と、前記装置本体の外部に設けられた第２の発光部とを備え、前記装置本体は、天井面よりも下方に突き出し、前記開口に向かって末広がりとなる形状をなし、前記第２の発光部から出射される光の照射方向を前記天井面および前記天井面に沿った方向とする突出部を有し、前記第２の発光部の最大光束は、前記第１の発光部の最大光束と同等か、またはそれ以上であることを特徴とする。
【発明の効果】
【０００８】
本開示の一態様である照明装置によれば、間接照明光の照射時においても主照明光の照射時と同等か、またはそれ以上の明るさを実現することが可能である。
【図面の簡単な説明】
【０００９】
【図１】実施形態の一例である照明装置の断面図である。
【図２】実施形態の一例である照明装置を上方から見た斜視図である。
【図３】実施形態の一例である照明装置を下方から見た斜視図である。
【図４】実施形態の他の一例である照明装置の断面図である。
【図５】実施形態の他の一例である照明装置の断面図である。
【図６】実施形態の他の一例である照明装置の断面図である。
【図７】実施形態の他の一例である照明装置の断面図である。
【図８】実施形態の他の一例である照明装置の断面図である。
【図９】実施形態の他の一例である照明装置の断面図である。
【図１０】実施形態の他の一例である照明装置の断面図である。
【図１１】実施形態の他の一例である照明装置の断面図である。
【図１２】実施形態の他の一例である照明装置の断面図である。
【図１３】実施形態の他の一例である照明装置の断面図である。
【図１４】実施形態の他の一例である照明装置の断面図である。
【図１５】実施形態の他の一例である照明装置の断面図である。
【図１６】実施形態の他の一例である照明装置の断面図である。
【図１７】実施形態の他の一例である照明装置の断面図である。
【図１８】実施形態の他の一例である照明装置の断面図である。
【発明を実施するための形態】
【００１０】
以下、図面を参照しながら、本開示に係る照明装置の実施形態の一例について詳細に説明する。実施形態の説明で参照する図面は模式的に記載されたものであるから、各構成要素の寸法比率などは以下の説明を参酌して判断されるべきである。なお、本明細書において、「略〜」との記載は、略平行を例に説明すると、完全に平行はもとより、実質的に平行と認められるものを含む意図である。
【００１１】
以下では、実施形態の一例である照明装置１０が、住居の室内において水平な天井１００に取り付けられるものとして説明するが、照明装置１０は水平方向および鉛直方向に対して傾斜した天井に取り付けることも可能である。また、照明装置１０は住居の廊下、玄関などの天井、或いは図書館等の公共施設、デパート等の商業施設、オフィス、店舗などの天井に取り付けることもできる。照明装置１０が取り付けられる天井は、建築空間の上方を区画する部位であればよく、例えば玄関ポーチ、テラスなどの天井であってもよい。
【００１２】
図１は、照明装置１０の断面図であって、照明装置１０を天井１００に取り付けた状態を示す（図１では、取り付け金具４０の図示省略）。図２は照明装置１０を上方から見た斜視図、図３は照明装置１０を下方から見た斜視図である。なお、図３は透光部材３５を取り外した状態を示す。
【００１３】
図１〜図３に例示するように、照明装置１０は、軸方向一端が開口した筒状に形成され、当該開口を下方に向けた状態で天井１００の埋め込み穴１０３に挿入される装置本体１１を備える。また、照明装置１０は、第１発光モジュール２１を有する主照明光発光部２０（第１の発光部）と、第２発光モジュール３１を有する間接照明光発光部３０（第２の発光部）とを備える。なお、照明装置１０は、第１発光モジュール２１および第２発光モジュール３１に電力を供給する点灯装置（図示せず）を備える。
【００１４】
ここで、天井面１０１とは、天井１００の鉛直下方を向いた面を意味する。また、埋め込み穴１０３は、装置本体１１の一部を挿入可能な穴であって、例えば天井１００を構成する天井板を貫通して形成された略真円形状の貫通穴である。天井１００の上には、上記点灯装置を配置でき、装置本体１１を挿入可能な天井裏空間１０２が形成されている。装置本体１１の直径は、突出部１２において埋め込み穴１０３の直径よりも大きくなっている。
【００１５】
照明装置１０は、室内空間を直接照らす主照明光と、天井面１０１および壁面上部の少なくとも一方を照らす間接照明光とを照射可能な天井埋め込み型の照明装置である。主照明光は、部屋の床面、机上面などに直接照射される。一方、間接照明光は、天井面１０１等に照射され、天井面１０１等からの反射光で室内を明るくする。照明装置１０において、主照明光は第１発光モジュール２１を含む主照明光発光部２０から出射され、間接照明光は第２発光モジュール３１を含む間接照明光発光部３０から出射される。
【００１６】
詳しくは後述するが、装置本体１１は、天井面１０１よりも下方に突き出し、開口に向かって末広がりとなる形状をなし、第２発光モジュール３１から出射される光の照射方向を天井面１０１に沿った方向とする突出部１２を有する。また、間接照明光発光部３０の最大光束は、主照明光発光部２０の最大光束と同等か、またはそれ以上である。
【００１７】
照明装置１０は、装置本体１１に固定される取り付け金具４０（図２および図３参照）を用いて天井１００に固定される。装置本体１１は、軸方向一端（以下、「下端」という場合がある）が開口した筒状体であって、筒壁部１３と、軸方向他端（以下、「上端」という場合がある）に形成された天板部１４とを有する。取り付け金具４０は、天板部１４に固定される板状のベース部４１と、ベース部４１から延びる２つのアーム部４２と、各アーム部４２に固定された２つの取り付けバネ４３とで構成されている。ベース部４１は、ネジ等の締結部材４４を用いて天板部１４に固定される。
【００１８】
２つのアーム部４２は、ベース部４１の端から下方に延び、装置本体１１を挟んで対向配置されている。２つの取り付けバネ４３は、板バネ構造を有し、各アーム部４２の下端部に固定されて水平方向に延びている。そして、取り付けバネ４３が、天井裏空間１０２において天井１００の埋め込み穴１０３の周囲に当接することで照明装置１０を支持している。なお、取り付け金具４０の構造は特に限定されない。
【００１９】
本実施形態では、第１発光モジュール２１を含む主照明光発光部２０の全体が、天井裏空間１０２に挿入された装置本体１１の上部において、装置本体１１の内部に設けられている。また、第２発光モジュール３１を含む間接照明光発光部３０の全体が、装置本体１１が埋め込み穴１０３に挿入された状態で天井面１０１と突出部１２との間に形成される空間５０に設けられている。なお、主照明光発光部２０の一部を装置本体１１の外部に設けることは可能である。
【００２０】
以下、照明装置１０を構成する装置本体１１、主照明光発光部２０、および間接照明光発光部３０について詳説する。
【００２１】
装置本体１１は、内部に主照明用の光が照射される筒状体であって、装置本体１１の内部空間が主照明光発光部２０の導光路を構成している。装置本体１１は、軸方向に垂直な断面が略真円形状の円筒状部材であって、下端の開口に近づくほど次第に拡径した末広がりの形状を有することが好ましい。装置本体１１の筒壁部１３は、この末広がり形状に対応して装置本体１１の内側に凸となるように湾曲している。装置本体１１の上端に形成された天板部１４は、平面視略真円形状を有する。装置本体１１の外側には、間接照明光発光部３０の設置に支障がない範囲で、複数の放熱フィンが設けられていてもよい。なお、装置本体１１は、円筒形状に限定されず、軸方向に垂直な断面が矩形形状を有する筒状部材であってもよい。
【００２２】
装置本体１１は、例えばアルミニウム、鉄等を主成分とする金属材料を、プレス加工、ヘラ絞り加工、またはダイカスト成形して製造される。装置本体１１の内側に向いた筒壁部１３の第１面１３Ａは、主照明光発光部２０から出射される光の反射面として機能する。第１面１３Ａには、光の反射率を高めるために、蒸着、メッキ、スパッタリング等により金属層が形成されていてもよく、研磨等により鏡面仕上げされていてもよい。また、第１面１３Ａには白色顔料を含有する白色の塗膜が形成されていてもよい。
【００２３】
装置本体１１は、上述の通り、天井面１０１よりも下方に突き出し、開口に向かって末広がりとなる突出部１２を有する。突出部１２は、装置本体１１の全周にわたって形成される。装置本体１１は、突出部１２で拡径の程度が大きく、突出部１２の下端に近づくほど径方向外側に大きく張り出している。すなわち、突出部１２の直径は、上部よりも下部で大きくなっている。以下では、突出部１２の径方向外側の端を突出部１２の「先端」といい、先端およびその近傍を「先端部」という。
【００２４】
筒壁部１３は、突出部１２で大きく湾曲している。筒壁部１３の第１面１３Ａは、装置本体１１の上部では径方向内側を向いているが、突出部１２の下端（先端）に近づくにつれて鉛直下方を向くようになり、突出部１２の先端部では天井面１０１と略平行になっている。また、装置本体１１の外側を向いた筒壁部１３の第２面１３Ｂは、突出部１２の先端に近づくにつれて天井面１０１側を向くようになる。
【００２５】
突出部１２は、天井面１０１との間に隙間をあけて配置されている。この隙間が、間接照明光発光部３０が設置される空間５０となる。空間５０は、装置本体１１の周方向に沿って形成されるリング状の空間である。本実施形態では、装置本体１１の筒壁部１３が突出部１２で大きく湾曲しているため、空間５０は突出部１２の先端に近づくほど広くなっている。空間５０の広さは、突出部１２の突出高ｈ12、筒壁部１３の形状等を変更することで拡大または縮小できる。
【００２６】
突出部１２は、第２発光モジュール３１の真下に対応する位置を超えて水平方向に張り出している。このように突出部１２が張り出すことで、第２発光モジュール３１の光が主照明光のように鉛直下方に照射されることを防止できる。天井面１０１と突出部１２に囲まれた空間５０は、突出部１２の全周にわたって突出部１２の径方向外側に開放されている。このため、第２発光モジュール３１の光は、突出部１２の全周から径方向外側に出射され、天井面１０１および壁面上部の少なくとも一方に照射される。
【００２７】
つまり、第２発光モジュール３１から出射される光は、装置本体１１の突出部１２によって照射方向が天井面１０１および天井面１０１に沿った方向に規制され、天井面１０１等に照射される間接照明光となる。一方、第１発光モジュール２１から出射される光は、突出部１２によって遮られないので、鉛直下方に照射される主照明光となる。
【００２８】
装置本体１１は、突出部１２の上部に形成された張り出し部１５を有することが好ましい。張り出し部１５は、筒壁部１３の第２面１３Ｂ（以下、突出部１２における１３の第２面１３Ｂを「突出部１２の第２面１３Ｂ」という場合がある）が径方向外側に張り出した部分であって、装置本体１１の全周にわたってリング状に形成される。
【００２９】
突出部１２には、後述する鍔部３４の固定に使用される支柱１６（図３参照）が形成されていてもよい。支柱１６は、突出部１２の第２面１３Ｂが張り出し部１５よりも下部で径方向外側に張り出した部分であって、突出部１２の周方向に沿って複数形成される。複数の支柱１６が存在する場合、突出部１２の周方向に離れた少なくとも３箇所に支柱１６を形成することが好ましい。
【００３０】
突出部１２には、後述する透光部材３５の固定に使用される溝１７が形成されていてもよい。溝１７は、筒壁部１３の第２面１３Ｂにおいて、第２発光モジュール３１の真下に対応する部分よりも突出部１２の径方向外側に形成される。好ましくは、突出部１２の全周にわたって突出部１２の先端部に溝１７が形成される。溝１７には、突出部１２と透光部材３５との隙間を塞ぐためのパッキン１８が設けられていてもよい。
【００３１】
照明装置１０は、上述の通り、装置本体１１の内部に光を出射する主照明用の第１発光モジュール２１を含む主照明光発光部２０と、装置本体１１の外部に設けられた間接照明用の第２発光モジュール３１を含む間接照明光発光部３０とを備える。なお、各発光モジュールに電力を供給する点灯装置（図示せず）は調光機能を有していてもよい。
【００３２】
主照明光発光部２０は、第１発光モジュール２１の他に、第１発光モジュール２１を保持するホルダ２４、およびホルダ２４に係合されるカバー２５を含むことが好ましい。本実施形態では、装置本体１１の内部に第１発光モジュール２１が配置されるため、点灯装置につながるリード線は装置本体１１の内部に引き込まれる。例えば、装置本体１１の天板部１４にはリード線を挿通する貫通穴が形成されている。
【００３３】
第１発光モジュール２１は、第１基板２３に実装された第１発光素子２２を有する。好適な第１発光素子２２は、半導体発光素子であって、中でもＬＥＤ（Ｌｉｇｈｔ  Ｅｍｉｔｔｉｎｇ  Ｄｉｏｄｅ）が好ましい。第１発光モジュール２１は、例えば蛍光体を用いてＬＥＤの青色光の一部をより長波長の光に変換し、青色光の残りの一部と混色することで白色光を出射する。以下、第１発光素子２２はＬＥＤとする。
【００３４】
ホルダ２４は、底部中央に開口が形成された有底円筒形状を有し、図示しないネジを用いて装置本体１１の天板部１４に固定される。第１発光モジュール２１は、底部中央の開口を通して光が照射されるように、第１発光素子２２が実装された第１基板２３の面を下に向けてホルダ２４内に配置される。
【００３５】
カバー２５は、ホルダ２４を収容可能な有底円筒形状を有する。カバー２５は、透明な部材であってもよいが、好ましくは光拡散用のフィラーまたはボイドを含有する乳白色の樹脂製透光部材である。カバー２５は、第１発光モジュール２１を保護すると共に、第１発光モジュール２１から出射される光を拡散透過させる機能を有する。または、カバー２５は透明部材であって、カバー２５の入射面と出射面とで光を成形するレンズ機能を有していてもよい。
【００３６】
主照明光発光部２０から出射される光は、装置本体１１の開口から下方に向かって照射される主照明光となる。照明装置１０では、装置本体１１の開口に沿った面が主照明光の出射面となる。主照明光発光部２０から出射される光の一部は、筒壁部１３の第１面１３Ａにあたって反射された後、当該出射面から装置外部に出射される。
【００３７】
本実施形態では、筒壁部１３の第１面１３Ａのうち突出部１２の先端部に対応する領域（先端領域）が天井面１０１と略平行であるから、第１面１３Ａの先端領域には、主照明光発光部２０の光は照射されない。このため、主照明光の照射時において、第１面１３Ａの先端領域と、天井面１０１のうち突出部１２の影になって光が照射されない照明装置１０の周囲の領域とが一連の暗部としてつながって見える。この場合、突出部１２の出っ張りを感じ難くなるという効果が得られる。
【００３８】
間接照明光発光部３０は、第２発光モジュール３１の他に、天井面１０１に沿うように設けられる鍔部３４と、第２発光モジュール３１よりも装置本体１１の径方向外側に設けられる透光部材３５とを含むことが好ましい。点灯装置につながるリード線は、例えば天井１００の埋め込み穴１０３を通って空間５０に引き込まれ、第２発光モジュール３１に接続される。
【００３９】
間接照明光発光部３０は、上述の通り、第２発光モジュール３１を含む発光部全体が天井面１０１と突出部１２に囲まれたリング状の空間５０に設置されている。空間５０は突出部１２の全周にわたって突出部１２の径方向外側に開放されているから、第２発光モジュール３１の光は突出部１２の全周から出射され、突出部１２の先端に対応する位置に間接照明光の出射面が形成される。本実施形態では、透光部材３５の径方向外側に向いた面が間接照明光の出射面となる。
【００４０】
第２発光モジュール３１を天井面１０１の下に設けた場合、第２発光モジュール３１から出射面までの距離を短くできるので、間接照明光の光学ロスを低減することが可能である。また、第２発光モジュール３１の放熱性は、当該モジュールを天井裏空間１０２に配置する場合と比べて良好である。さらに、第１発光モジュール２１と第２発光モジュール３１が離れて配置されているので、互いの熱的影響が小さいという利点もある。
【００４１】
第２発光モジュール３１は、第２基板３３に実装された第２発光素子３２を有する。好適な第２発光素子３２は、第１発光素子２２と同様に、半導体発光素子であって、中でもＬＥＤが好ましい。第２発光モジュール３１についても、例えば蛍光体を用いてＬＥＤの青色光の一部をより長波長の光に変換し、青色光の残りの一部と混色することで白色光を出射する。以下、第２発光素子３２はＬＥＤとする。
【００４２】
第２発光モジュール３１は、装置本体１１の周方向に沿って設けられている。好ましくは、装置本体１１の全周にわたって、換言すると空間５０の全周にわたって第２発光モジュール３１が設けられる。ＬＥＤである第２発光素子３２は、例えば中空円板状の第２基板３３に実装され、装置本体１１の周方向に並んで複数設けられる。第２発光素子３２は、装置本体１１の周方向に略一定の間隔で配置されることが好ましい。この場合、照明装置１０の周囲に均一な間接照明光を照射することが容易になる。
【００４３】
間接照明光発光部３０の最大光束は、上述のように、主照明光発光部２０の最大光束と同等か、またはそれ以上である。すなわち、第２発光モジュール３１の発光により得られる間接照明光発光部３０の最大光束が、第１発光モジュール２１の発光により得られる主照明光発光部２０の最大光束と同等か、それ以上となる。最大光束とは、各発光モジュールの出力を最大としたときの光束を意味する。各発光部の光束は、積分球またはゴニオメーターと照度計などを用いて測定される。
【００４４】
つまり、間接照明光発光部３０から出射される間接照明光の明るさは、主照明光発光部２０から出射される主照明光の明るさと同等か、またはそれ以上である。照明装置１０では、第２発光モジュール３１から第１発光モジュール２１と同等以上の強い光を出射可能であり、間接照明光のみで部屋全体の明るさを十分に確保できる。
【００４５】
照明装置１０は、主照明光と間接照明光を同時に照射することもできるが、一般的には主照明光と間接照明光を切り替えて使用することを想定している。このため、照明装置１０は、第１発光モジュール２１と第２発光モジュール３１とが同時に発光しないように構成されていてもよい。
【００４６】
間接照明光発光部３０を構成する鍔部３４は、空間５０において、装置本体１１の径方向外側に張り出した部分である。但し、鍔部３４は、突出部１２の先端よりも径方向外側に張り出さないように装置本体１１に設けられることが好ましい。鍔部３４は、装置本体１１の周方向に沿って設けられる。好ましくは、装置本体１１の全周にわたって、換言すると空間５０の全周にわたって鍔部３４が設けられる。
【００４７】
本実施形態では、鍔部３４の突出部１２側を向いた下面３４Ａに第２発光モジュール３１が取り付けられている。下面３４Ａの第２発光モジュール３１が取り付けられる部分は平坦であるから、第２発光モジュール３１の取り付けが容易である。第２発光モジュール３１は、第２発光素子３２が実装された第２基板３３の面を下に向けた状態で、ネジ等の締結部材３６（図２および図３参照）を用いて鍔部３４に固定できる。第２発光モジュール３１は、透光部材３５と干渉しないように、鍔部３４の外周部から離れた径方向内側に固定される。
【００４８】
鍔部３４は、天井面１０１に近接配置されることが好ましい。鍔部３４は、例えば第２基板３３と同様の中空円板状部材を天板部１４側から装置本体１１に嵌めて固定することで設けられる。鍔部３４は、装置本体１１の支柱１６に載せられ、ネジ等の締結部材３７（図２参照）を用いて支柱１６に固定されている。鍔部３４の下面３４Ａに固定された第２発光モジュール３１は、天井面１０１と略平行に配置され、所定の隙間をあけて突出部１２の第２面１３Ｂと対向している。
【００４９】
鍔部３４の下面３４Ａに第２発光モジュール３１が固定される場合、突出部１２の天井面１０１側を向いた面、すなわち第２発光モジュール３１と対向する第２面１３Ｂが、第２発光モジュール３１から出射される光の反射面として機能する。第２発光モジュール３１から出射される光は、例えば湾曲した第２面１３Ｂで反射され、突出部１２の全周から水平方向に向かって出射される。第２面１３Ｂの反射面として機能する部分には、第１面１３Ａと同様に、金属膜が形成されていてもよく、研磨等により鏡面仕上げされていてもよい。また、白色の塗膜が形成されていてもよい。
【００５０】
本実施形態では、鍔部３４の天井面１０１側を向いた上面３４Ｂと天井面１０１との間に、締結部材３６，３７と天井面１０１との干渉を避けるための凹部３８が形成されている。鍔部３４には、第２発光モジュール３１が固定される部分と外周部との間に段差が形成されており、第２発光モジュール３１が固定される部分で上面３４Ｂの高さが低くなっている。このため、第２発光モジュール３１が固定される部分の上面３４Ｂと天井面１０１との間に凹部３８が形成される。
【００５１】
間接照明光発光部３０を構成する透光部材３５は、空間５０において、第２発光モジュール３１よりも装置本体１１の径方向外側に設けられ、第２発光モジュール３１から出射する光を透過または拡散透過させる部材である。また、透光部材３５は第２発光モジュール３１を保護するカバーとして機能する。
【００５２】
透光部材３５は、突出部１２の最大径と略同等の直径を有する円筒状部材であって、突出部１２の先端部に固定されることが好ましい。本実施形態では、透光部材３５の下端部が突出部１２の溝１７に挿入され、透光部材３５の上端部が鍔部３４によって上から押えられている。すなわち、透光部材３５は鍔部３４と突出部１２によって挟持されている。
【００５３】
透光部材３５の上端部には、鍔部３４を支持する凹部５１が形成されている。そして、透光部材３５は、突出部１２の全周にわたって突出部１２と鍔部３４の間に設けられている。つまり、突出部１２と鍔部３４とに囲まれた、第２発光モジュール３１が設置される空間は、透光部材３５によって閉じられている。また、透光部材３５の軸方向長さは、天井面１０１から突出部１２の先端部における第２面１３Ｂまでの長さに対応している。このため、照明装置１０では、透光部材３５の上端と鍔部３４の一部とが天井面１０１に当接する。照明装置１０と天井面１０１との隙間を塞ぐため、透光部材３５の上端、および鍔部３４と天井面１０１との間にパッキンを挿入してもよい。
【００５４】
透光部材３５は、第２発光モジュール３１の光を拡散させずに透過させる透明な部材であってもよく、第２発光モジュール３１の光を拡散透過させる乳白色の部材であってもよい。光を拡散透過させる乳白色の部材としては、カバー２５の場合と同様に、光拡散用のフィラーまたはボイドを含有する樹脂製の透光部材を用いることができる。
【００５５】
拡散透過型の透光部材３５を用いる場合は、第２発光モジュール３１の光を反射する第２面１３Ｂを鏡面反射面としてもよい。或いは、透明な透光部材３５を用いて、第２面１３Ｂを拡散反射面としてもよい。いずれの場合も、透光部材３５を透過する間接照明光を拡散光として輝点を解消できる。一方、第２面１３Ｂを鏡面反射面とし、かつ透明な透光部材３５を用いてもよい。この場合、第２発光モジュール３１の光が遠くまでとどくので、例えば部屋の壁面を明るく照らすことができる。
【００５６】
以下、図４〜図１８を参照しながら、実施形態の他の一例である照明装置について説明する。図４〜図１８は、図１に対応する断面図であるが、図１よりも簡略化している。以下では、上述の実施形態と同様の構成要素には同じ符号を用いて重複する説明を省略し、上述の実施形態および先に説明する実施形態との相違点を主に説明する。なお、本明細書で説明する複数の実施形態の各構成要素を選択的に組み合わせることは当初から想定されている。
【００５７】
図４に例示するように、照明装置６０の間接照明光発光部６１は、第２発光モジュール３１、鍔部３４、および透光部材３５を備える点で、照明装置１０の間接照明光発光部３０と共通する。第２発光モジュール３１、鍔部３４、および透光部材３５は、装置本体１１の全周にわたって設けられることが好ましい（以下の実施形態についても同様）。
【００５８】
一方、間接照明光発光部６１では、第２発光モジュール３１が突出部１２の天井面１０１側に向いた第２面１３Ｂに取り付けられている点で、間接照明光発光部３０と異なる。第２発光モジュール３１を第２面１３Ｂに取り付けた場合、第２発光素子３２が直視されることがなく、グレア感を低減し易い。また、第２発光素子３２が天井面１０１側に向いているため、天井面１０１を明るく照らすことが可能である。
【００５９】
間接照明光発光部６１では、鍔部３４の下面３４Ａが第２発光モジュール３１から出射される光の反射面として機能する。この場合、グレア感を抑えるため、鍔部３４の下面３４Ａに拡散反射機能を持たせるか、透光部材３５に拡散透過機能を持たせることが好ましい。図４に示す例では、第２発光モジュール３１を固定する部分として、表面が平坦な台座部６２を突出部１２の第２面１３Ｂに設けている。なお、第２発光モジュール３１にフレキシブル基板を適用し、第２発光モジュール３１を第２面１３Ｂに沿って湾曲した状態で取り付けてもよい。
【００６０】
図５に例示するように、照明装置７０の間接照明光発光部７１は、第２発光モジュール３１が装置本体１１の径方向外側を向いた状態で設けられている点で、照明装置１０の間接照明光発光部３０と異なる。第２発光モジュール３１は、第２発光素子３２が実装された第２基板３３の面を装置本体１１の径方向外側に向けた状態で、空間５０に配置されている。この場合、第２発光モジュール３１から出射される光の多くが、反射過程を経ることなく透光部材３５を透過して出射されるので、光学ロスをさらに低減できる。第２発光モジュール３１には、フレキシブル基板が適用されてもよい。
【００６１】
図５に示す例では、突出部１２の第２面１３Ｂに立設した立壁部７２に第２発光モジュール３１が固定されている。立壁部７２は、天井面１０１に対して略垂直に、かつ突出部１２の全周にわたって形成されることが好ましい。立壁部７２は、装置本体１１の一部として装置本体１１と一体成形されているが、鍔部３４に設けられていてもよく、装置本体１１および鍔部３４と別の部材で構成されていてもよい。
【００６２】
図６に例示するように、照明装置８０の間接照明光発光部８１は、第２発光モジュール３１の光が照射される突出部１２の第２面１３Ｂに形成された蓄光層８２を備える点で、照明装置１０の間接照明光発光部３０と異なる。蓄光層８２は、第２面１３Ｂに蓄光材料を含有する塗膜を形成することにより、或いは蓄光材料を含有するシートを貼付することにより設けることができる。この場合、蓄光層８２が発光することで、間接照明光の均一性を高めることができる。また、蓄光層８２の発光により、消灯時においても明かりを確保できる。
【００６３】
図７〜図１８に例示する形態は、装置本体１１の周方向に沿って装置本体１１の外部に設けられ、装置本体１１との間に光を通す導光路２を形成する外側カバー１を備える点で、上述の実施形態と異なる。この場合、装置本体１１の突出部１２は、導光路２を通る光の照射方向を天井面１０１に沿った方向とする。導光路２を通る光は、間接照明用の光である。装置本体１１の外面である筒壁部１３の第２面１３Ｂおよび外側カバー１の内面１Ａの少なくとも一方が、発光モジュールから出射される間接照明用の光の反射面として機能してもよい。
【００６４】
外側カバー１は、装置本体１１の全周にわたって設けられる円筒状部材であって、装置本体１１と同様に下端に近づくほど次第に拡径した末広がりの形状を有することが好ましい。外側カバー１の上部は天井裏空間１０２に位置し、外側カバー１の下部は天井面１０１よりも下方に突き出している。そして、外側カバー１の先端部は、天井面１０１と突出部１２に囲まれた空間５０に位置している。この場合、埋め込み穴１０３の直径は外側カバー１の上部よりも大きく、外側カバー１の下部よりも小さく形成される。
【００６５】
図７〜図１４に例示する形態は、主照明用の第１発光モジュール２１と、間接照明用の第２発光モジュール３１とを備える点で、上述の実施形態と共通する。図７〜図１４に例示する照明装置においても、第２発光モジュール３１の発光により得られる間接照明光発光部３０の最大光束は、第１発光モジュール２１の発光により得られる主照明光発光部２０の最大光束と同等か、それ以上である。このため、第２発光モジュール３１から第１発光モジュール２１と同等以上の強い光を出射可能であり、間接照明光のみで部屋全体の明るさを十分に確保できる。
【００６６】
図７に例示する照明装置２００では、外側カバー１により、装置本体１１の筒壁部１３との間に装置本体１１の全周にわたって導光路２が形成される。外側カバー１の筒壁部３は、外側カバー１の末広がり形状に対応して内側に凸となるように湾曲している。外側カバー１の先端部は、天井面１０１に沿って延び、突出部１２の先端部と対向している。外側カバー１の先端部と突出部１２の先端部との間の上下方向にあいた隙間が導光路２の出口となり、当該隙間に沿った面が間接照明光の出射面となる。
【００６７】
照明装置２００は、導光路２の出口を塞ぐ透光部材３５を備える。透光部材３５は、上述の通り、突出部１２の最大径と略同等の直径を有する円筒状部材であって、第２発光モジュール３１から出射され導光路２を通る間接照明用の光を透過または拡散透過させる。透光部材３５は、外側カバー１と突出部１２によって挟持されている。
【００６８】
図７に示す例では、第２発光モジュール３１が導光路２内に設けられている。そして、導光路２の上端を塞ぐ外側カバー１の天板部４が、装置本体１１の天板部１４よりも低い位置に設けられており、天板部４の下面、すなわち導光路２の上端に第２発光モジュール３１が取り付けられている。この場合、第１発光モジュール２１と第２発光モジュール３１が離れて配置されるので、互いの熱的影響が小さいという利点がある。天板部４は装置本体１１の周りにリング状に形成され、第２発光モジュール３１は外側カバー１の周方向に沿って設けられる。天板部４は平坦であるから、第２発光モジュール３１の取り付けが容易である。
【００６９】
また、導光路２には光を誘導するための導光体２０１が設けられている。導光体２０１は、一方側の光入射面から入射する光を他方側の光出射面まで低ロスで導くための透光部材である。導光体２０１の光入射面は第２発光モジュール３１に近接配置され、光出射面は透光部材３５に近接配置されることが好ましい。導光体２０１を設ける場合、筒壁部１３の第２面１３Ｂおよび外側カバー１の内面１Ａは反射面として機能しなくてもよい。
【００７０】
図８に例示する照明装置２１０は、第２発光モジュール３１が外側カバー１の内面１Ａに取り付けられている点で、照明装置２００と異なる。第２発光モジュール３１の第２基板３３には、例えばフレキシブル基板が適用され、第２発光モジュール３１が内面１Ａに沿って湾曲した状態で取り付けられる。また、照明装置２１０は、導光体２０１を有さない点で、照明装置２００と異なる。
【００７１】
照明装置２１０では、少なくとも第２発光モジュール３１と対向する筒壁部１３の第１面１３Ａが反射面として機能し、好ましくは第１面１３Ａおよび外側カバー１の内面１Ａが反射面として機能する。第１面１３Ａおよび内面１Ａは、鏡面反射面であってもよく、拡散反射面であってもよい。照明装置２１０では、例えば第２発光モジュール３１の光が多重反射して導波するため、光りムラが生じ難い。なお、第２発光モジュール３１は、第１面１３Ａに取り付けられてもよい。
【００７２】
図９に例示する照明装置２２０は、外側カバー１の天板部４が装置本体１１の天板部１４と同じ高さに形成されている点で、照明装置２００，２１０と異なる。第２発光モジュール３１は、天板部４の下面に取り付けられており、第１発光モジュール２１と同じ高さに水平方向に並んで配置されている。各発光モジュールを同一平面上に配置することで、放熱機構を共有することが可能である。この場合、筒壁部１３の第１面１３Ａおよび外側カバー１の内面１Ａが反射面として機能することが好ましい。また、導光路２の長さが長いため、光りムラが生じ難い。
【００７３】
さらに、照明装置２２０は、第１発光モジュール２１の光が照射される突出部１２の第１面１３Ａに形成された蓄光層２２１と、第２発光モジュール３１の光が照射される突出部１２の第２面１３Ｂに形成された蓄光層２２２を備える。蓄光層２２１，２２２は、上述の蓄光層８２と同様の方法で設けることができる。この場合、蓄光層８２が発光することで、消灯時においても明かりを確保できる。
【００７４】
図１０に例示する照明装置２３０では、装置本体１１の天板部１４の上面に第２発光モジュール３１が取り付けられており、天板部１４の上方を含む装置本体１１の上部全体を覆うようにドーム状の外側カバー１が設けられている点で、上述の実施形態と異なる。第２発光モジュール３１の光は上方に向かって出射され、外側カバー１の内面１Ａで反射される。この場合も、各発光モジュールで放熱機構を共有することが可能であり、また導光路２の長さが長いため、光りムラが生じ難い。
【００７５】
図１１に例示する照明装置２４０では、第２発光モジュール３１が外側カバー１の外部に設けられている点で、照明装置２３０等と異なる。図１１に示す例では、第２発光モジュール３１が点灯装置２４１と一体化されている。外側カバー１の筒壁部３には開口２４２が形成されており、第２発光モジュール３１の光は開口２４２を介して導光路２に導入される。開口２４２は、筒壁部３のうち装置本体１１の天板部１４よりも上方に位置する部分に形成されている。なお、開口２４２は外側カバー１の天板部４に形成されてもよい。
【００７６】
図１２に例示する照明装置２５０では、第１発光モジュール２１と第２発光モジュール３１とが一体化された発光モジュールユニット２５１を備える点で、照明装置２４０等と異なる。なお、照明装置２５０は、装置本体１１の上部全体を覆うように外側カバー１が設けられている点で、照明装置２３０，２４０と共通する。図１２に示す例では、発光モジュールユニット２５１が、装置本体１１の天板部１４と外側カバー１の天板部４との間において導光路２内に配置されている。照明装置２５０によれば、各発光モジュールをユニット化することで放熱機構の共有化等を図り、装置構造を簡素化できる。
【００７７】
装置本体１１は、導光路２に配置された発光モジュールユニット２５１の光を装置本体１１の内部に導入するための入射開口１９を有する。図１２に示す例では、入射開口１９が装置本体１１の天板部１４に形成され、発光モジュールユニット２５１の第１発光モジュール２１が入射開口１９から装置本体１１の内部に挿入されている。また、発光モジュールユニット２５１には、第１発光モジュール２１および第２発光モジュール３１を覆うようにモジュールカバー２５２，２５３が設けられている。モジュールカバー２５２，２５３は拡散透過体であってもよく、または透明体であって、モジュールカバー２５２，２５３の入射面と出射面とで光を成形するレンズ機能を有していてもよい。
【００７８】
図１３に例示する照明装置２６０では、導光体２６１によって、第１発光モジュール２１が設けられる凹部２６２と、第２発光モジュール３１の光を通す導光路２６３とが形成されている。導光体２６１は、上部が天井裏空間１０２に挿入されており、下部が天井面１０１よりも下方に突き出して径方向外側に広がっている。第２発光モジュール３１は、第１発光モジュール２１よりも上方に設けられている。導光体２６１は、第２発光モジュール３１から出射される光の照射方向を天井面１０１および天井面１０１に沿った方向とする突出部２６４を有する。
【００７９】
照明装置２６０において、第１発光モジュール２１の光は、例えば導光体２６１の内面２６１Ａで反射し、凹部２６２の開口から出射される。他方、第２発光モジュール３１の光は、導光体２６１の内面２６１Ａと外面２６１Ｂとの間に形成される導光路２６３を通り、水平方向に向いた突出部２６４の先端面２６１Ｃから天井面１０１に沿った方向に出射される。すなわち、照明装置２６０では、導光体２６１によって、第１発光モジュール２１の光が内部に出射される装置本体と、装置本体との間に導光路２６３を形成する外側カバーとが構成されているといえる。
【００８０】
図１４に例示する照明装置２７０は、発光モジュール内臓点灯装置２７１を備え、第１光ファイバー２７２と、第２光ファイバー２７３とを用いて、主照明用の光と間接照明用の光とが分岐される構造を有する。このように、外側カバー１の外部に発光モジュールを配置することで、装置内部の構造を簡素化することができる。発光モジュール内臓点灯装置２７１には、例えば第１発光モジュール２１および第２発光モジュール３１が内臓されている。なお、発光モジュール内臓点灯装置２７１には、１つの発光モジュールが内臓されていてもよいが、この場合は、出射方向の切り替えを可能とすることが好ましい。
【００８１】
発光モジュール内臓点灯装置２７１は、外側カバー１の外部に設けられており、筒壁部３に形成された開口２４２を通って２本の光ファイバーが外側カバー１内に引き込まれている。第１光ファイバー２７２の先端部は、装置本体１１の天板部１４に形成された貫通穴から装置本体１１の内部に挿入されており、第１光ファイバー２７２を通る光は装置本体１１の内部に出射される。他方、第２光ファイバー２７３の先端部は、導光路２内に位置しており、第２光ファイバー２７３を通る光は導光路２内に出射される。
【００８２】
図１５〜図１８に例示する形態では、各発光部で共有の発光モジュール５が設けられている。図１５〜図１８に例示する形態は、発光モジュール５の光が、装置本体１１の内部を通る主照明用の第１方向と、導光路２を通る間接照明用の第２方向とに、光の出射方向を変更できるように構成されている点で、上述の実施形態と異なる。図１５〜図１８では、主照明光が出射される状態（ａ）と、間接照明光が出射される状態（ｂ）を示す。また、図１７の（ｃ）は間接照明光が出射される状態を示す。
【００８３】
図１５〜図１８に例示する照明装置では、主照明光および間接照明光のいずれも、発光モジュール５から出射される。発光モジュール５は、第１発光モジュール２１等と同様に、基板７に実装された発光素子６を有する。好適な発光素子６は、半導体発光素子であって、中でもＬＥＤが好ましい。この場合も、主照明光と間接照明光の明るさが同等となり、間接照明光のみで部屋全体の明るさを十分に確保できる。
【００８４】
図１５〜図１８に例示する照明装置において、発光モジュール５は導光路２内に設けられる。そして、装置本体１１は、発光モジュール５の光を装置本体１１の内部に導入するための入射開口１９を有する。入射開口１９は、装置本体１１の上端に位置する天板部１４に形成されることが好ましい。発光モジュール５の光は、入射開口１９を介して主照明用の第１方向に出射されると共に、第２発光モジュール３１の光源である第２発光素子３２の位置と入射開口１９の位置をずらすか、または入射開口１９を塞ぐことで、間接照明用の第２方向に出射される。
【００８５】
図１５に例示する照明装置３００では、装置本体１１の天板部１４の上方に発光モジュール５が設けられている。天板部１４には、入射開口１９が形成されており、入射開口１９を覆うように拡散透過体３０１が設けられている。発光モジュール５の光は、拡散透過体３０１を透過して装置本体１１の内部に照射され、装置本体１１の下端の開口から主照明光として出射される。なお、発光モジュール５の光の一部は導光路２を通って透光部材３５から出射される間接照明光となるが、多くの光は主照明光として出射される。
【００８６】
照明装置３００では、蓋体３０２を用いて入射開口１９を塞ぐことにより、装置本体１１の内部を通って出射される主照明光を遮断することができる。このとき、発光モジュール５の光は、導光路２を通って透光部材３５から出射される間接照明光となる。拡散透過体３０１は、天板部１４の上面において上方に膨出しており、蓋体３０２をはめ込み可能な凹部を形成している。
【００８７】
図１６に例示する照明装置３１０は、装置本体１１の天板部１４の上方に設けられた発光モジュール５と、天板部１４に形成された入射開口１９とを有する点で、照明装置３００と共通する。一方、照明装置３１０は、光の出射方向を切り替えるための手段として、内側遮光体３１１と、外側遮光体３１５とを備える点で、照明装置３００と異なる。内側遮光体３１１および外側遮光体３１５は、例えば有底円筒形状を有し、内側遮光体３１１が外側遮光体３１５の内部に収容されている。
【００８８】
内側遮光体３１１は、外側カバー１の天板部４の下面に固定され、その下部は入射開口１９を通って装置本体１１の内部に挿入されている。外側遮光体３１５は、内側遮光体３１１に対して、上下方向にスライド可能に取り付けられている。内側遮光体３１１には、導光路２内に位置する部分に窓穴３１２が、装置本体１１の内部に位置する部分に窓穴３１３がそれぞれ形成されている。また、外側遮光体３１５には窓穴３１６が形成されている。
【００８９】
照明装置３１０では、外側遮光体３１５の窓穴３１６が内側遮光体３１１の窓穴３１３と一致するように外側遮光体３１５をスライドさせることで、窓穴３１２が塞がれ、導光路２を通る間接照明用の光が遮断される。このとき、発光モジュール５の光は、窓穴３１３，３１６を通って装置本体１１の内部に出射される。他方、外側遮光体３１５の窓穴３１６が内側遮光体３１１の窓穴３１３と一致するように、外側遮光体３１５をスライドさせると、窓穴３１３が塞がれ、装置本体１１の内部を通る主照明用の光が遮断される。このとき、発光モジュール５の光は、窓穴３１２，３１６を通って導光路２に出射される。
【００９０】
図１７に例示する照明装置３２０，３３０は、発光モジュール５が取り付けられたモジュール保持体３２１と、モジュール保持体３２１を回転または水平方向にスライドさせる軸３２２を備える点で、照明装置３００，３１０と異なる。照明装置３２０では、モジュール保持体３２１が装置本体１１の入射開口１９に対応する位置で、軸３２２によって回転可能に支持されている。
【００９１】
照明装置３２０では、軸３２２を回転させてモジュール保持部３２１の発光モジュール５が取り付けられた面を下方に向けることで、発光モジュール５の光が装置本体１１の内部に出射される。他方、軸３２２を回転させてモジュール保持部３２１の発光モジュール５が取り付けられた面を上方に向けることで、発光モジュール５の光が導光路２内に出射される。このとき、入射開口１９がモジュール保持部３２１によって塞がれ、装置本体１１の内部を通る主照明用の光が遮断される。
【００９２】
照明装置３３０では、モジュール保持体３２１の下面に発光モジュール５が取り付けられている。モジュール保持体３２１は、発光モジュール５が入射開口１９と上下方向に重なる位置と、発光モジュール５が入射開口１９からずれて導光路２内に存在する位置との間で、水平方向にスライド可能に軸支されている。
【００９３】
図１８に例示する照明装置３４０は、外側カバー１に対して、装置本体１１が回転可能に支持された構造を有する。発光モジュール５は、照明装置３００，３１０と同様に、外側カバー１の天板部４の下面に取り付けられているが、その位置は天板部４の中心から離れている。一方、天板部４の中心には、装置本体１１に固定され、上下方向に延びる軸３４１が設けられている。
【００９４】
照明装置３４０では、軸３４１を回転させることで装置本体１１が外側カバー１の中で回転する。そして、照明装置３４０は、装置本体１１の回転により、天板部１４に形成された入射開口１９が発光モジュール５の真下にきて主照明光が出射される状態と、これらの位置がずれて間接照明光が出射される状態とを取ることができる。
【００９５】
なお、軸３２２，３４１は、図示しない電動機を用いて回転またはスライドさせることができる。照明装置３１０の外側遮光体３１５についても、電動機を用いてスライドさせることができる。また、照明装置２００，２６０以外の照明装置に導光体を用いてもよく、第２発光モジュール３１としてサイド発光型の発光モジュールを用いてもよい。
【００９６】
照明装置の実施形態として、第２の発光モジュール３１が円環状の場合を例示したが、その形状は円環状に限定されない。例えば、天井１００に矩形状の埋め込み穴１０３が形成されている場合、照明装置１０が矩形であり、第２の発光モジュール３１が矩形環状であってもよい。この場合も、上述の構成と同等の効果を得ることができる。
【符号の説明】
【００９７】
１０  照明装置、１１  装置本体、１２  突出部、１３  筒壁部、１３Ａ  第１面、１３Ｂ  第２面、１４  天板部、１５  張り出し部、１６  支柱、１７  溝、１８  パッキン、２０  主照明光発光部、２１  第１発光モジュール、２２  第１発光素子、２３  第１基板、２４  ホルダ、２５  カバー、３０  間接照明光発光部、３１  第２発光モジュール、３２  第２発光素子、３３  第２基板、３４  鍔部、３５  透光部材、３６，３７，４４  締結部材、３８，５１  凹部、４０  取り付け金具、４１  ベース部、４２  アーム部、４３  取り付けバネ、５０  空間、５１  凹部、１００  天井、１０１  天井面、１０２  天井裏空間、１０３  埋め込み穴
【００９８】
１  外側カバー、１Ａ  内面、２，２６３  導光路、３  筒壁部、４  天板部、５  発光モジュール、６  発光素子、７  基板、１９  入射開口、６１，７１，８１  間接照明光発光部、７２  立壁部、８２，２２１，２２２  蓄光層、６０，７０，８０，２００，２１０，２２０，２３０，２４０，２５０，２６０，２７０，３００，３１０，３２０，３３０，３４０  照明装置、２０１，２６１  導光体、２４１  点灯装置、２４２  開口、２５１  発光モジュールユニット、２５２，２５３  モジュールカバー、２６１Ａ  内面、２６１Ｂ  外面、２６１Ｃ  先端面、２６２  凹部、２６４  突出部、２７１  発光モジュール内臓点灯装置、２７２  第１光ファイバー、２７３  第２光ファイバー、３０１  拡散透過体、３０２  蓋体、３１１  内側遮光体、３１２，３１３，３１６  窓穴、３１５  外側遮光体、３２１  モジュール保持体、３２２，３４１  軸
【図１】
2018147780.tif 000003
【図２】
2018147780.tif 000004
【図３】
2018147780.tif 000005
【図４】
2018147780.tif 000006
【図５】
2018147780.tif 000007
【図６】
2018147780.tif 000008
【図７】
2018147780.tif 000009
【図８】
2018147780.tif 000010
【図９】
2018147780.tif 000011
【図１０】
2018147780.tif 000012
【図１１】
2018147780.tif 000013
【図１２】
2018147780.tif 000014
【図１３】
2018147780.tif 000015
【図１４】
2018147780.tif 000016
【図１５】
2018147780.tif 000017
【図１６】
2018147780.tif 000018
【図１７】
2018147780.tif 000019
【図１８】
2018147780.tif 000020